(57)【特許請求の範囲】
【請求項１】
本体を構成するケースと、被加熱調理容器を載置する天板と、前記被加熱調理容器を加熱する加熱コイルと、前記加熱コイルを載置するコイルベースと、前記加熱コイルに高周波電流を流す駆動回路基板と、前記加熱コイル及び前記駆動回路基板を冷却するための冷却ファンとを有し、前記加熱コイルのリード部の端末及び前記駆動回路基板のリード線の端末に中継接続するための端子が、かしめ、溶接等にて構成され、前記コイルベース上に前記加熱コイルのリード部の端末に構成された端子と前記駆動回路基板のリード線の端末に構成された端子とを中継接続し固定する接続固定手段を構成し、前記接続固定手段は、前記コイルベースに前記加熱コイルのリード部の端末に構成された端子を係止する係止手段を有するとともに、前記係止手段により係止された前記加熱コイルのリード部の端末に構成された端子に前記駆動回路基板のリード線の端末に構成された端子をネジ止めまたはファストン端子により接続させる構成としたことを特徴とする誘導加熱調理器。
【請求項２】
加熱コイルのリード部の端子に形成された切り起こし部を係止する係止手段をコイルベースに構成したことを特徴とする請求項１記載の誘導加熱調理器。
【請求項３】
加熱コイルのリード部の端子をバネ性のある材料にて構成し、前記端子のバネ性を利用して乗り越えにより前記端子を係止する係止手段をコイルベースに構成したことを特徴とする請求項１記載の誘導加熱調理器。
【発明の詳細な説明】
【０００１】
【発明の属する技術分野】
本発明は一般家庭で使用する誘導加熱調理器の加熱コイルと駆動回路基板との接続方法に関するものである。
【０００２】
【従来の技術】
従来、この種の誘導加熱調理器の加熱コイルと駆動回路基板との接続は、通常加熱コイルのリード部を駆動回路基板に設けた端子台に、ネジ止め、かしめ等にて接続する方法が一般的である。
【０００３】
以下、その構成について図１、図２を参照にしながら説明する。図１に示すように、本体を構成するフレーム１および外郭ケース２と、被加熱調理容器３を載置する天板４と、天板４の下方に位置する加熱コイル５と、加熱コイル５を載置するコイルベース６と、加熱コイル５に高周波電流を流す駆動回路基板７と、駆動回路基板７に接続する加熱コイルのリード部８と、加熱コイル５及び駆動回路基板７を冷却するための冷却ファン９にて構成される。
【０００４】
上記構成において、加熱コイルのリード部８は図２の拡大図に示すように端末を丸形端子１０、あるいはファストン端子１１等にて処理し、駆動回路基板７に設けた端子台１２にネジ止め、かしめ等によって接続される。
【０００５】
【発明が解決しようとする課題】
この様な従来の誘導加熱調理器の加熱コイルと駆動回路基板の接続方法では、発熱部品である加熱コイルと駆動回路基板を近傍に位置して接続するため、放熱効率が悪く、効率の良い冷却経路を構成しづらいという課題があった。特に限定はしないが、図３に示すように組込式誘導加熱調理器などは、上部に複数の加熱部、前面にはロースター部及び操作部を有するため内部構造は複雑密集しており、放熱効率が悪く、冷却風の圧力損失も大きいため冷却ファンの能力を上げることによる各種騒音が発生するという課題もあった。圧力損失を減らす為に加熱コイルと駆動回路基板の間に空間を設ける場合は加熱コイルのリード部を長くする必要があるが、加熱コイルの発生する高周波磁界の影響による駆動回路基板の誤動作、あるいはリード部の発熱によるロス、配線時の絶縁処理等の課題が発生する。
【０００６】
【課題を解決するための手段】
上記課題を解決するために本発明は、本体を構成するケースと、被加熱調理容器を載置する天板と、前記被加熱調理容器を加熱する加熱コイルと、前記加熱コイルを載置するコイルベースと、前記加熱コイルに高周波電流を流す駆動回路基板と、前記加熱コイル及び前記駆動回路基板を冷却するための冷却ファンとを有し、前記加熱コイルのリード部の端末及び前記駆動回路基板のリード線の端末に中継接続するための端子が、かしめ、溶接等にて構成され、前記コイルベース上に前記加熱コイルのリード部の端末に構成された端子と前記駆動回路基板のリード線の端末に構成された端子とを中継接続し固定する接続固定手段を構成し、前記接続固定手段は、前記コイルベースに前記加熱コイルのリード部の端末に構成された端子を係止する係止手段を有するとともに、前記係止手段により係止された前記加熱コイルのリード部の端末に構成された端子に前記駆動回路基板のリード線の端末に構成された端子をネジ止めまたはファストン端子により接続させる構成としたものである。
【０００７】
本発明のようにコイルベース上に接続固定手段を設けることで、まず、加熱コイルのリード部は極力短く処理ができるため、高周波磁界の影響による駆動回路基板の誤動作の防止、リード部の発熱によるロスの低減、リード部の配線時の絶縁処理が不要となる。この場合駆動回路基板のリード線をツイストすることによってより高周波磁界の影響を受けにくくすることもできる。また、加熱コイルに対する駆動回路基板の位置を自由に設計することが可能となり、効率の良い放熱構成あるいは効率の良い冷却経路を容易に構成することができる。また、冷却風の圧力損失を低減することによって騒音低減が容易にできる。
【０００８】
また、組込式誘導加熱調理器の場合は、ロースター部の上方に駆動回路基板と加熱コイルが重なり合って配置されるため、ロースター部の庫内寸法に制約を受けるが本発明によれば、駆動回路基板を自由に配置できるため庫内寸法の広い使い勝手の良い組込式誘導加熱調理器を提供することができる。
【０００９】
【発明の実施の形態】
上記課題を解決するために請求項１記載の発明は、本体を構成するケースと、被加熱調理容器を載置する天板と、前記被加熱調理容器を加熱する加熱コイルと、前記加熱コイルを載置するコイルベースと、前記加熱コイルに高周波電流を流す駆動回路基板と、前記加熱コイル及び前記駆動回路基板を冷却するための冷却ファンとを有し、前記加熱コイルのリード部の端末及び前記駆動回路基板のリード線の端末に中継接続するための端子が、かしめ、溶接等にて構成され、前記コイルベース上に前記加熱コイルのリード部の端末に構成された端子と前記駆動回路基板のリード線の端末に構成された端子とを中継接続し固定する接続固定手段を構成し、前記接続固定手段は、前記コイルベースに前記加熱コイルのリード部の端末に構成された端子を係止する係止手段を有するとともに、前記係止手段により係止された前記加熱コイルのリード部の端末に構成された端子に前記駆動回路基板のリード線の端末に構成された端子をネジ止めまたはファストン端子により接続させる構成としたものである。この場合、コイルベース上に構成する接続固定手段は、コイルベースと一体あるいは別部材にて構成しても同様の効果が得られるものである。
【００１０】
また、請求項２記載の発明は、端子に切り起こし部を形成し、コイルベースに前記端子の切り起こし部の係止手段を構成したものである。
【００１１】
また、請求項３記載の発明は、端子をバネ性のある材料にて構成し、コイルベースに前記端子のバネ性を利用して乗り越えによる係止手段を構成したものである。
【００１２】
請求項２及び３記載の発明によれば、組み立て作業の効率が良くなると共に、加熱コイルは接続固定手段を配したユニットとして独立するため修理交換時のサービス性が向上する。
【００１３】
【実施例】
（実施例１）
以下、本発明の実施例について図４〜図６を参照にしながら説明する。図４は、本発明の実施例を示す誘導加熱調理器の概略図で、本体を構成するフレーム１および外郭ケース２と、被加熱調理容器３を載置する天板４と、被加熱調理容器３を加熱する加熱コイル５と、加熱コイル５を載置するコイルベース６と、加熱コイル５に高周波電流を流す駆動回路基板７と、加熱コイル５及び駆動回路基板７を冷却するための冷却ファン９を備え、加熱コイルのリード部８の端末及び駆動回路基板のリード線１３の端末は丸形端子１０あるいはファストン端子１１にて構成され、コイルベース６上にそれぞれの端子を中継接続する接続固定手段１４を構成したものである。
【００１４】
接続固定の方法は、特に限定するものではなく、電気的、機械的に接続できれば、ネジ止め、かしめ、溶接等設計者が任意に選択できるものである。
【００１５】
図５は、接続固定手段１４の一例を示す拡大図で、図５（ａ）はコイルベース６に、ねじ端子１５をインサート成形あるいはネジ止め、かしめ等にて固定しナット１６を使ってそれぞれの丸形端子１０を、とも締めにて中継接続したものである。
【００１６】
図５（ｂ）は、コイルベース６に、タブ端子１７をインサート成形あるいはネジ止め、かしめ等にて固定し、ファストン端子１１にて中継接続したものである。
【００１７】
以上のように構成された誘導加熱調理器について、その作用を説明する。コイルベース６上に接続固定手段１４を設けることで、加熱コイルのリード部８は極力短く処理ができるため、高周波磁界の影響による駆動回路基板７の誤動作の防止、リード部の発熱によるロスの低減、リード部の配線時の絶縁処理が不要となる。この場合駆動回路基板７のリード線１３をツイストすることによってより高周波磁界の影響を受けにくくすることもできる。また、図６に示すように加熱コイル５に対して駆動回路基板７の位置を自由に設計することが可能となり、効率の良い放熱構成あるいは効率の良い冷却経路を容易に構成することができる。また、冷却風の圧力損失を低減することによって騒音低減が容易にできる。
【００１８】
また、組込式誘導加熱調理器の場合は、ロースター部の上方に駆動回路基板と加熱コイルが重なり合って配置されるため、ロースター部の庫内寸法に制約を受けるが本発明によれば、駆動回路基板を自由に配置できるため庫内寸法の広い使い勝手の良い組込式誘導加熱調理器を提供することができる。
【００１９】
（実施例２）
図７および図８は接続固定手段１４を具体的に示したものであり、図７は端子１８に切り起こし部１９を、コイルベース６に端子１８の切り起こし部１９の係止手段２０を構成したものである。また、図８は端子１８をバネ性のある材料にて構成し、コイルベース６に端子１８のバネ性を利用して乗り越えによる係止手段２０を構成したものである。
【００２０】
以上のように構成された誘導加熱調理器について、その作用を説明する。図７の（ａ）は加熱コイルのリード部８の端末にかしめ、溶接等にて構成した端子１８に突き出し穴を設けてネジ加工を施したものであり、コイルベース６に設けた係止手段２０と端子１８の切り起こし部１９によって係止される。さらに、駆動回路基板のリード線１３の端末にかしめ、溶接等にて構成した丸形端子１０を端子ネジ２１にてネジ止めし、中継接続する。
【００２１】
図７の（ｂ）は端子１８に穴を設け、コイルベース６にナット１６を挿入し、コイルベース６に設けた係止手段２０と端子１８の切り起こし部１９によって係止される。さらに、駆動回路基板のリード線１３の端末にかしめ、溶接等にて構成した丸形端子１０を端子ネジ２１にてネジ止めし、中継接続する。
【００２２】
図７の（ｃ）は端子１８にタブ端子１７を構成したものであり、駆動回路基板のリード線１３の端末にかしめ、溶接等にて構成したファストン端子１１にて中継接続する。
【００２３】
図８の（ａ）は端子１８をばね性のある材料にて構成し、突き出し穴を設けてネジ加工を施したものである。端子１８は、加熱コイルのリード部８の端末にかしめ、溶接等にて構成され、コイルベース６に設けた係止手段２０と端子１８のばね性を利用した乗り越え構成によって係止される。さらに、駆動回路基板のリード線１３の端末にかしめ、溶接等にて構成した丸形端子１０を端子ネジ２１にてネジ止めし、中継接続する。
【００２４】
図８の（ｂ）は端子１８に穴を設け、コイルベース６にナット１６を挿入し、コイルベース６に設けた係止手段２０と端子１８のばね性を利用した乗り越え構成によって係止される。さらに、駆動回路基板のリード線１３の端末にかしめ、溶接等にて構成した丸形端子１０を端子ネジ２１にてネジ止めし、中継接続する。
【００２５】
図８の（ｃ）は端子１８にタブ端子１７を構成したものであり、駆動回路基板のリード線１３の端末にかしめ、溶接等にて構成したファストン端子１１にて中継接続する。
【００２６】
以上のように本実施例によれば、コイルベース６に係止手段２０を設けることによって、組み立て作業の効率が良くなると共に、加熱コイル５は接続固定手段１４を配したユニットとして独立するため修理交換時のサービス性が向上する。
【００２７】
【発明の効果】
上記実施例から明らかなように、本発明によれば、高周波磁界の影響による駆動回路基板の誤動作の防止、リード部の発熱によるロスの低減、リード部の配線時の絶縁処理が不要となる。この場合駆動回路基板のリード線をツイストすることによってより高周波磁界の影響を受けにくくすることもできる。また、加熱コイルに対して駆動回路基板の位置を自由に設計することが可能となり、効率の良い放熱構成あるいは効率の良い冷却経路を容易に構成することができる。また、冷却風の圧力損失を低減することによって騒音低減が容易にできる。
【００２８】
また、組込式誘導加熱調理器の場合は、ロースター部の上方に駆動回路基板と加熱コイルが重なり合って配置されるため、ロースター部の庫内寸法に制約を受けるが本発明によれば、駆動回路基板を自由に配置できるため庫内寸法の広い使い勝手の良い組込式誘導加熱調理器を提供することができる。
【図面の簡単な説明】
【図１】本発明の従来例の誘導加熱調理器を示す斜視図
【図２】（ａ）本発明の従来例の誘導加熱調理器を示す要部拡大図
（ｂ）同、他の従来例の誘導加熱調理器を示す要部拡大図
【図３】本発明の従来例の誘導加熱調理器を示す斜視図
【図４】本発明の実施例１の誘導加熱調理器を示す斜視図
【図５】（ａ）本発明の実施例１の誘導加熱調理器を示す要部拡大図
（ｂ）同、実施例１の他の形態の誘導加熱調理器を示す要部拡大図
【図６】本発明の実施例１の誘導加熱調理器を示す断面図
【図７】（ａ）本発明の誘導加熱調理器の接続固定手段を示す要部拡大図
（ｂ）同、接続固定手段の他の形態を示す要部拡大図
（ｃ）同、接続固定手段の更に他の形態を示す要部拡大図
【図８】（ａ）本発明の誘導加熱調理器の接続固定手段を示す要部拡大図
（ｂ）同、接続固定手段の他の形態を示す要部拡大図
（ｃ）同、接続固定手段の更に他の形態を示す要部拡大図
【符号の説明】
１  フレーム
２  外郭ケース
３  被加熱調理容器
４  天板
５  加熱コイル
６  コイルベース
７  駆動回路基板
８  加熱コイルのリード部
９  冷却ファン
１０  丸形端子
１１  ファストン端子
１２  端子台
１３  駆動回路基板のリード線
１４  接続固定手段
１５  ねじ端子
１６  ナット
１７  タブ端子
１８  端子
１９  切り起こし部
２０  係止手段
２１  端子ネジ
【図１】
0003610896.tif 000002
【図２】
0003610896.tif 000003
【図３】
0003610896.tif 000004
【図４】
0003610896.tif 000005
【図５】
0003610896.tif 000006
【図６】
0003610896.tif 000007
【図７】
0003610896.tif 000008
【図８】
0003610896.tif 000009